(57)【要約】フローシステムにおいて複数個の物理的オブジェクトを有する物理的コンピュータ支援設計（ＣＡＤ）モデルを供給するための、コンピュータプログラムプロダクトを含む、方法及び装置。該複数個の物理的オブジェクトの各々は一つ又はそれ以上の物理的リンクにおいて連結されている。該フローシステムの解析的モデルが該一つ又はそれ以上の物理的リンクに基づいて発生される。そして、該解析的モデル又は該物理的モデルの内の一つが他方に対する変更を反映させるために自動的にアップデートされる。【選択図】      図１Ａ
2009530720.tif 000002
【特許請求の範囲】
【請求項１】
コンピュータによって実現される方法において、
フローシステムにおける各々が一つ又はそれ以上の物理的リンクにおいて連結されている複数個の物理的オブジェクトを有する物理的コンピュータ支援設計（ＣＡＤ）モデルを設け、
該一つ又はそれ以上の物理的リンクに基づいて該フローシステムの解析的モデルを発生し、
該解析的モデル又は該物理的ＣＡＤモデルの内の一方を他方への変更を反映させるために自動的に更新させる、
ことを包含している方法。
【請求項２】
請求項１において、
該フローシステムが、空気流れシステム、流体流れシステム、又は電気的システムの内の一つである方法。
【請求項３】
請求項１において、更に、
該解析的モデルに基づいて該フローシステムの解析を実施する、
ことを包含している方法。
【請求項４】
請求項１において、
該解析が、流れ、静圧、速度、又は圧力損失を決定することを包含している方法。
【請求項５】
請求項１において、
フローシステムが一つ又はそれ以上のフローサブシステムを組み込んでいる方法。
【請求項６】
請求項１において、更に、
流速、流れ摩擦、又は寸法拘束条件の内の一つ又はそれ以上に基づいて該複数個の物理的オブジェクトにおける一つの物理的オブジェクトに対する寸法を決定する、
ことを包含している方法。
【請求項７】
請求項１において、
物理的オブジェクトが、流れ装置、ディフューザ、リターンディフューザ、排気ターミナル、排気ファン、ダクト、パイプ、電気ケーブル、又はフィッテイングの内の一つである方法。
【請求項８】
コンピュータによって実現される方法において、
一つ又はそれ以上のフローターミナルと一つ又はそれ以上の部屋とを組み込んでおり、該一つ又はそれ以上のフローターミナルの各々が該一つ又はそれ以上の部屋における一つの部屋と関連している、フローシステムの物理的コンピュータ支援設計（ＣＡＤ）モデルを設け、
該フローシステムターミナル間に一つ又はそれ以上の物理的接続を自動的に経路付けし、
該一つ又はそれ以上の物理的接続及び各部屋の一つ又はそれ以上の特性に基づいて該フローシステムを解析する、
ことを包含している方法。
【請求項９】
請求項８において、
該解析することが解析的モデルを利用し、
該解析的モデル又は該物理的ＣＡＤモデルの内の一つを他方への変更を反映するために自動的に更新する、
方法。
【請求項１０】
請求項８において、更に、
該フローシステムとして該一つ又はそれ以上のフローターミナルを指定するユーザ入力を受け付ける、
ことを包含している方法。
【請求項１１】
請求項８において、
解析することが、該フローシステムに対する流れ又は静圧を決定することを包含している方法。
【請求項１２】
請求項８において、
該フローシステムが、該フローシステムターミナルに対して水又は空気を供給するか又はそれから水又は空気を抽出するための流れ装置を包含している方法。
【請求項１３】
請求項８において、
一つの部屋の特性が、所要の空気の流れ、所要の水の流れ、又は所要の電流の内の一つである方法。
【請求項１４】
請求項８において、
一つのフローターミナルが、ディフューザ、排気ターミナル、排気ファン、冷却コイル、又は加熱コイルの内の一つである方法。
【請求項１５】
請求項８において、
一つの物理的接続がダクト、パイプ、及び電気ケーブル又はフィッティングである方法。
【請求項１６】
請求項８において、更に、
流速、流れ摩擦、又は寸法拘束条件の内の一つ又はそれ以上に基づいて該一つ又はそれ以上の物理的接続における一つの物理的接続に対する寸法を決定する、
ことを包含している方法。
【請求項１７】
コンピュータ読み取り可能な媒体上にコード化されているコンピュータプログラムプロダクトにおいて、
フローシステムにおける各々が一つ又はそれ以上の物理的リンクにおいて連結されている複数個の物理的オブジェクトを有する物理的コンピュータ支援設計（ＣＡＤ）モデルを設け、
該一つ又はそれ以上の物理的リンクに基づいて該フローシステムの解析的モデルを発生し、
該解析的モデル又は該物理的ＣＡＤモデルの内の一方を他方への変更を反映させるために自動的に更新させる、
オペレーションをデータ処理装置をして実施させるべく動作可能なコンピュータプログラムプロダクト。
【請求項１８】
請求項１７において、
該フローシステムが、空気流れシステム、流体流れシステム、又は電気的システムの内の一つであるコンピュータプログラムプロダクト。
【請求項１９】
請求項１７において、更に、
該解析的モデルに基づいて該フローシステムの解析を実施する、
ことを包含するオペレーションを該データ処理システムをして実施させるべく動作可能なコンピュータプログラムプロダクト。
【請求項２０】
請求項１７において、更に、
流速、流れ摩擦、又は寸法拘束条件の内の一つ又はそれ以上に基づいて該複数個の物理的オブジェクトにおける一つの物理的オブジェクトに対する寸法を決定する、
ことを包含するオペレーションを該データ処理システムをして実施させるべく動作可能なコンピュータプログラムプロダクト。
【請求項２１】
コンピュータ読み取り可能な媒体上にコード化されているコンピュータプログラムプロダクトにおいて、
一つ又はそれ以上のフローターミナルと一つ又はそれ以上の部屋とを組み込んでおり、該一つ又はそれ以上のフローターミナルの各々が該一つ又はそれ以上の部屋における一つの部屋と関連している、フローシステムの物理的コンピュータ支援設計（ＣＡＤ）モデルを設け、
該フローシステムターミナル間に一つ又はそれ以上の物理的接続を自動的に経路付けし、
該一つ又はそれ以上の物理的接続及び各部屋の一つ又はそれ以上の特性に基づいて該フローシステムを解析する、
オペレーションをデータ処理装置をして実施させるべく動作可能なコンピュータプログラムプロダクト。
【請求項２２】
請求項２１において、
該解析することが、解析的モデルを利用し、
更に、該解析的モデル又は該物理的ＣＡＤモデルの内の一つを他方への変更を反映するために自動的に更新することを包含するオペレーションを該データ処理装置をして実施させるべく動作可能なコンピュータプログラムプロダクト。
【請求項２３】
請求項２１において、更に、
該フローシステムとして該一つ又はそれ以上のフローターミナルを指定するユーザ入力を受け付ける、
ことを包含するオペレーションを該データ処理装置をして実施させるべく動作可能なコンピュータプログラムプロダクト。
【請求項２４】
請求項２１において、
解析することが該フローシステムに対する流れ又は静圧を決定することを包含しているコンピュータプログラムプロダクト。
【請求項２５】
請求項２１において、
該フローシステムが該フローシステムターミナルに対して水又は空気を供給するか又はそれから水又は空気を抽出するための流れ装置を包含しているコンピュータプログラムプロダクト。
【請求項２６】
請求項２１において、
一つの部屋の特性が、所要の空気の流れ、所要の水の流れ、又は所要の電流の内の一つであるコンピュータプログラムプロダクト。
【請求項２７】
請求項２１において、
一つのフローターミナルが、ディフューザ、排気ターミナル、排気ファン、冷却コイル、又は加熱コイルの内の一つであるコンピュータプログラムプロダクト。
【請求項２８】
請求項２１において、
一つの物理的接続がダクト、パイプ、及び電気ケーブル又はフィッティングであるコンピュータプログラムプロダクト。
【請求項２９】
請求項２１において、更に、
流速、流れ摩擦、又は寸法拘束条件の内の一つ又はそれ以上に基づいて該一つ又はそれ以上物理的接続における一つの物理的接続に対する寸法を自動的に決定する、
ことを包含するオペレーションを該データ処理システムをして実施させるべく動作可能なコンピュータプログラムプロダクト。
【発明の詳細な説明】
【技術分野】
【０００１】
建物に対するヒーティング、通気及び空調（ＨＶＡＣ）システム、管路（パイピング）システム及び電気的システムを開発するエンジニアは、典型的に、２つの種類のモデルを取り扱う。物理的コンピュータ支援設計（ＣＡＤ）モデルは草案作成のために使用され且つ建物又はその他の構造物に関連して管路、ＨＶＡＣ，及び電気的要素の物理的な位置、接続及び寸法を示す。解析的モデルは、流量、寸法要素、及び該システムに対して必要とされる装置のタイプを計算するために使用される。
【背景技術】
【０００２】
例えば、建物用のＨＶＡＣシステムを開発する場合に、エンジニアは、典型的に、建物の構造的プランでスタートし、物理的な空気取り入れ及び排出ターミナル、空気流れ装置の位置、及びそれらを接続するダクト配管をレイアウトする。ダクト配管は、建物内の柱、壁及びその他の障害物の周りに経路付けさせることを必要とする場合があるので、このことは複雑で時間のかかる処理となる場合がある。
【０００３】
次いで、ＨＶＡＣシステムは、典型的に、別の解析パッケージにおいて又は手作業によりモデル化される。例えば、エンジニアは、空気流れ条件を、与えられたダクトが空気を輸送することが可能な毎分立法フィート（ＣＦＭ）及びＨＶＡＣシステムによってサービスされる部屋の空気流れ条件などのＨＶＡＣシステムにおける要素の各々と関連付けることが可能である。この情報は、そのキャパシテイを満足させるため必要な空気流れ装置の寸法を決定するために解析パッケージによって使用される。その解析結果は、ＨＶＡＣシステムに対する時間のかかる修正を必要とする場合があり、そのことは、例えば、ダクト配管の寸法又は位置、空気ディフューザの数、又は空気流れ装置の部品のタイプ及び数を変更するために一部をエンジニアをして再度草案させることを必要とする。更に、建物のプランに対して変更がなされると、ＨＶＡＣシステムを開発する作業の殆どをやり直すことを必要とする場合がある。
【発明の開示】
【発明が解決しようとする課題】
【０００４】
一般的に、一つの側面においては、本発明の実施例は、フローシステム、即ち流れ系、における複数個の物理的オブジェクトを有する物理的なコンピュータ支援設計モデルを提供することを特徴としている。
【課題を解決するための手段】
【０００５】
該複数個の物理的オブジェクトの各々は、一つ又はそれ以上の物理的リンクにおいて連結されている。該フローシステムの解析的モデルが、該一つ又はそれ以上の物理的リンクに基づいて、発生される。そして、該解析的モデル又は物理的ＣＡＤモデルの内の一つが、他方に対する変更を反映するために、自動的にアップデート、即ち更新される。
【０００６】
これら及びその他の実施例は、オプションとして、以下の特徴の内の一つ又はそれ以上のを包含することが可能である。該フローシステムは、エアーフロー即ち空気流れシステム、流体流れシステム、又は電気的システムの内の一つである。該解析は、フロー即ち流れ、静圧、速度又は圧力損失を包含することが可能である。フローシステムは、一つ又はそれ以上のフローサブシステムを組み込むことが可能である。物理的オブジェクトに対する寸法は、流速、フロー（流れ）摩擦、又は寸法拘束条件の内の一つ又はそれ以上に基づいて、該複数個の物理的オブジェクトにおいて決定することが可能である。一つの物理的オブジェクトは、フロー（流れ）装置、ディフューザ、リターンディフューザ、排気ターミナル、排気ファン、ダクト、パイプ、電気ケーブル又はフィッティングの内の一つである。
【０００７】
一般的に、別の側面においては、本発明の実施例は、フローシステムの物理的なコンピュータ支援設計モデルを提供することを特徴としている。このモデルは、一つ又はそれ以上のフローターミナル（流れ端末装置）及び一つ又はそれ以上の部屋を組み込んでいる。該一つ又はそれ以上のフローターミナルの各々は該一つ又はそれ以上の部屋における一つの部屋と関連している。一つ又はそれ以上の物理的接続が該フローシステムターミナル間に自動的に経路付けされる。該フローシステムは、該一つ又はそれ以上の物理的接続及び各部屋の一つ又はそれ以上のプロパティ即ち特性に基づいて解析される。
【０００８】
これら及びその他の実施例は、オプションとして、以下の特徴の内の一つ又はそれ以上を包含することが可能である。該解析することは、解析的モデルを利用する。該解析的モデル又は該物理的ＣＡＤモデルの内の一方は、他方に対しての変更を反映させるために、自動的にアップデート即ち更新される。該フローシステムとして該一つ又はそれ以上のフローターミナルを指定するユーザ入力が受け付けられる。解析することは、該フローシステムに対するフロー即ち流れ、静圧、速度又は圧力損失を決定することを包含することが可能である。該フローシステムは、該フローシステムターミナルに対して水又は空気を供給するか、又はそれから水又は空気を抽出するためのフロー（流れ）装置を包含している。一つの部屋のプロパティ即ち特性は、所要の空気流れ、所要の水の流れ、又は所要の電流の内の一つである。一つのフローターミナルは、ディフューザ、リターンディフューザ、排気ターミナル、排気ファン、冷却コイル、又は加熱コイルの内の一つである。一つの物理的接続は、ダクト、パイプ、及び電気ケーブル又はフィッティングである。一つの物理的接続に対する一つの寸法は、流速、流れ摩擦、又は寸法拘束条件の内の一つ又はそれ以上に基づいて該一つ又はそれ以上の物理的接続において決定される。
【０００９】
本発明の特定の実施例は、以下の利点の内の一つ又はそれ以上を達成するために実現することが可能である。物理的フローシステムＣＡＤモデルの解析はＣＡＤソフトウエアツールによって実施される。物理的フローシステムＣＡＤモデルの解析的モデルが自動的に作成される。該解析的モデル及び該物理的モデルは自動的に同期され、従って、一方に対する変更は自動的に他方において反映される。該物理的モデルにおける物理的オブジェクトは、該解析的モデルに基づいて、自動的に寸法決定させることが可能である。一つのフローシステムの物理的モデルに対する静圧、フロー（流れ）、速度及び圧力損失は該解析的モデルによって自動的に決定される。該物理的モデルが作成され且つ修正される度に、該物理的モデルの解析がその場所で行われるので、設計時間は短縮される。その結果、エンジニアは、何が最適であり且つ費用効果的であるかを決定するためにフローシステムの異なる形態を試行することにより迅速に正しい解決に収束することが可能である。
【００１０】
本発明の一つ又はそれ以上の実施例の詳細は添付の図面及び以下の説明において行う。本発明のその他の特徴、側面、及び利点はその説明、図面及び特許請求の範囲から明らかなものとなる。
【発明を実施するための最良の形態】
【００１１】
図１Ａは、空気流れシステム、流体流れシステム、又は電気的システムなどのフローシステムの物理的及び解析的ＣＡＤモデルを作成するための技術を例示したフローチャートである。ＣＡＤモデルは、建物、フローシステム、及び該フローシステムの解析的表現を表すのに必要な情報を組み込むことが可能である。ＣＡＤモデルは、一つ又はそれ以上のファイル、オブジェクト指向型データベース、リレーショナルデータベース、分散型オブジェクト、これらの組み合わせ、又はその他の適宜の永続的な格納部内に格納することが可能である。ここで使用される「モデル」という用語は、ＣＡＤモデルのコンテンツと同義語である。
【００１２】
ユーザは、ＣＡＤツールで一つ又はそれ以上の部屋を相互作用的に作成し（図１Ｂ参照）、それらは物理的ＣＡＤモデル内に組み込まれる。代替的に、該物理的モデルは、既存のＣＡＤモデルから得ることが可能である。該部屋は周りの構造物の一部とすることが可能であり、又は周りの構造物とは別に存在することが可能である。部屋のプロパティ即ち特性が定義される（ステップ１０１）。エアフロー即ち空気流れシステムにおいては、例えば、部屋の特性は、その部屋の所望の温度、その部屋を占有する人数、その部屋のジオメトリ即ち幾何学的形状、その部屋内の窓及びドアの数、及び太陽に対するその部屋の露呈尺度を包含することが可能である。その他の部屋の特性も可能である。部屋の特性は、部屋の形態に基づいて自動的に計算するか、又はユーザによって特定することが可能である。
【００１３】
各部屋の特性に基づいて、各部屋に対するフロー（流れ）条件（例えば、所要の空気流れ、所要の水の流れ、所要の電流）が決定される（ステップ１０３）。空気流れシステムにおいては、各部屋に対する所要の空気流れが決定される。一つの実現例においては、その部屋を表す物理的モデルの部分を、流れ条件の決定のために、サードパーティの解析アプリケーションへ供給することが可能である。例えば、グリーンビルディング（Ｇｒｅｅｎ  Ｂｕｉｌｄｉｎｇ）ＸＭＬ（ｇｂＸＭＬ）ドキュメントフォーマットを使用して解析アプリケーションと情報を交換することが可能である。次いで、その結果得られる条件を該物理的モデル内に組み込むことが可能である。
【００１４】
ＣＡＤツール（例えば、グラフィカルユーザインターフェース１００）と相互作用するユーザによって相互作用的に、又は部屋の特性に基づいて自動的に、のいずれかにより、各部屋へ一つ又はそれ以上のフローターミナルを付加することが可能である（ステップ１０５）。フローターミナル即ち流れ端子装置が物理的モデル内に組み込まれる。エアーフロー即ち空気流れの場合には、フローターミナルはディフューザ（例えば、換気扇）、リターンディフューザ、排気ターミナル、排気ファン、冷却又は加熱コイル、又は流体から周囲の空気へ熱エネルギを伝達させるために使用されるその他の熱交換装置を表している。一つの実現例においては、ユーザは部屋内のターミナルのグラフィック表現を所望の位置にインタラクティブ即ち相互作用的にドラッグ・アンド・ドロップさせることが可能である。
【００１５】
フロー装置の一つ又はそれ以上の部品が、部屋のプロパティ即ち特性に基づいて、又はユーザによって特定されるようにインタラクティブに物理的モデルに自動的に付加される（ステップ１０７）。装置は、ＨＶＡＣ又は空気供給ユニットなどのエアーフロー装置、ポンプなどの水流れ装置、及び電気的装置を包含している。一つの実現例においては、ユーザはＣＡＤモデルのビュー内の所望の位置に装置のグラフィック表現をインタラクティブにドラッグ・アンド・ドロップさせることが可能である。
【００１６】
該フローターミナル及びフロー装置は、ユーザのインタラクション即ち相互作用を介して又は自動的に互いに論理的に関連付け又は接続されて、物理的モデルにおいてフローシステムを形成する（ステップ１０９）。例えば、ユーザは、フローシステムの一部であることを所望するフローターミナル及びフロー装置をインタラクティブに選択することが可能である（例えば、マウス又はキーボード入力でもって）。物理的モデルにおけるターミナル及びフロー装置の間に物理的接続を自動的に発生させることが可能である（ステップ１１１）。物理的接続は、ダクト、パイプ、電気ケーブル、及び関連するフィッティングを包含することが可能である。物理的モデルにおけるフローシステムの解析的モデルが自動的に作成される（ステップ１１３）。該解析的モデルば、そのフローシステムに対して、静圧、フロー（流れ）、速度及び圧力損失を決定することが可能であり且つ必要とされるフロー装置のタイプ及びターミナルをフロー装置で連結させる接続部の物理的寸法を自動的に決定するために使用される。
【００１７】
図１Ｂは、一つ又はそれ以上のコンピュータ支援設計（ＣＡＤ）モデルをビュー即ち観察し且つ操作するためのグラフィカルユーザインターフェース（ＧＵＩ）１００の１例を示している。ＧＵＩ１００は、ユーザがインタラクティブに一つ又はそれ以上のＣＡＤモデルをビュー即ち観察し、作成し、インポートし、エクスポートし、且つ修正することを可能とさせるインタラクティブＣＡＤソフトウエアツールによって提示させることが可能である。一つの実現例においては、該ソフトウエアアプリケーションは、Ａｕｔｏｄｅｓｋ（商標）Ｒｅｖｉｔ（商標）システムであり、それはカリフォルニア、サンラファエルのＡｕｔｏｄｅｓｋ，Ｉｎｃ．から入手することが可能である。グラフィカルユーザインターフェース（ＧＵＩ）１００は一つ又はそれ以上のモデルの一つ又はそれ以上のビューを提示することが可能である。ビュー１０２はＣＡＤモデルにおいて表されている３つの部屋オブジェクト１０４Ａ，１０４Ｂ，１０４Ｃ（又は「部屋部屋」）の平面図を表している。その他のビューも可能である。例として、一つのビューは、二次元（２Ｄ），三次元（３Ｄ）、側面図、断面図、切り取り図、解析図、又はこれらの組み合わせとすることが可能である。
【００１８】
図２は、部屋１０４Ｂなどの物理的ＣＡＤモデルにおけるオブジェクトの特性を定義し且つ修正するための要素特性ダイアログ２００を示している。例えば、ユーザは、ビュー１０２（例えば、部屋１０４Ｂ）における興味のあるオブジェクトを選択し、次いでその選択したオブジェクトの特性をダイアログ２００で検査し且つ修正することが可能である。部屋１０４Ｂは、ファミリー制御２０２において示されているように「部屋」として分類されている。該部屋の特性は、エネルギ解析特性２０４Ａ，機械的―エアーフロー特性２０４Ｂ，及び寸法特性２０４Ｃの如くグループ化させることが可能である。該物理的モデルにおけるオブジェクトは、共通の特性（例えば、寸法、流量）のみならず、オブジェクトタイプに対して特定的なそれらの特性を有することが可能である。
【００１９】
フローシステムの幾つかの実現例においては、物理的モデルにおけるオブジェクトの特性は、各要素に対しての所要のフロー即ち流れを計算するのに必要な情報を包含している。例えば、部屋１０４Ｂは、スペースタイプ、人数、一人当たりの面積、一人当たりの全熱利得、面積、及びエアーフローシステムに関連する周囲などの特性を具備している。エアーフローシステム特性は、外壁、加熱情報、冷却情報、及びエネルギ効率に関する規則などに関する情報などのその他の特性を包含することが可能である。これらの特性は、例えば、部屋１０４Ｂに対しての所要のエアーフロー即ち空気流れを計算するために使用することが可能である。所要のエアーフロー情報は、計算済み供給エアーフロー特性におけるように、部屋１０４Ｂの特性へ付加させることが可能である。
【００２０】
図３は、部屋へのフローターミナルの付加を示している。ユーザは一つ又はそれ以上の部屋に対して一つ又はそれ以上のフローターミナルをインタラクティブに付加させ且つ位置決めさせることが可能である。ユーザは、又、フローターミナルの特性をインタラクティブに修正することが可能であり、例えば、エアーフローの場合においては、そのフローターミナルに対する流量特性（例えば、ＣＦＭ、即ち毎分当たりの立方フィート）を変化させることが可能である。一つの実現例においては、ディフューザのフロー特性が修正されると、その部屋におけるその他のターミナルのフロー特性が、その部屋に対する所要のエアーフロー即ち空気流れを維持するために、自動的に調節される。例えば、部屋１０４Ａの所要の空気流量が１０００ＣＦＭであり且つターミナル３０２Ａのエアー流量特性が７００ＣＦＭに設定されている場合には、ターミナル３０２Ｂの空気流量特性は自動的に３００ＣＦＭへ設定させることが可能である。
【００２１】
各部屋へ付加すべきフローターミナルの数及びタイプを自動的に決定するために部屋の特性を使用することが可能である。例えば、部屋１０４Ａ−Ｃは、夫々、１０００ＣＦＭ，５００ＣＦＭ及び１０００ＣＦＭの所要の空気流量を有することが可能である。各々が５００ＣＦＭのエアーフロー即ち空気流れである供給ディフューザ３０２Ａ−Ｂは、部屋１０４Ａのエアーフロー条件を満足する。供給ディフューザ３０２Ｅ（５００ＣＦＭのエアーフローを有する）は部屋１０４Ｂのエアーフロー条件を満足し、且つ供給ディフューザ３０２Ｃ−Ｄ（各々５００ＣＦＭのエアーフローを有する）は部屋１０４Ｃのエアーフロー条件を満足する。ディフューザ３０２Ａ−Ｅは、デフォルト、又は、例えば、数、フロー寸法及びディフューザの位置を案内するヒューリスティックに基づいて、部屋のエアーフロー条件を満足させるために部屋１０４Ａ−Ｃへ自動的に付加させることが可能である。例えば、一つのこの様なヒューリスティックは、或る面積を有する部屋は、所定距離だけ互いに離隔させて与えられた数のディフューザを包含することが可能であることを指図する場合がある。
【００２２】
図４は、物理的モデルへのフロー装置の付加及びフローシステムの指定を示している。一つの実現例においては、フローシステムはフロー装置の、一つ又はそれ以上の部品及び該フロー装置部品の一つ又はそれ以上に対して接続された一つ又はそれ以上のフローターミナルを包含している。フロー装置４０２の一つ又はそれ以上の部品は、ユーザによってインタラクティブに、又は一つ又はそれ以上の部屋の所要のフロー即ち流れに基づいて自動的に、物理的モデルへ付加させることが可能である。ユーザは、フローシステムを形成するために、各フローターミナルを一つのフロー装置へ又は別のフローターミナルへ論理的に接続させることが可能である。これらの論理的接続は、ビュー１０２において点線で例示してある。
【００２３】
例えば、ユーザはターミナル３０２Ａを選択し、次いで装置４０２を選択することが可能である。それに応答して、該ビューはターミナル３０２Ａを論理的接続を表す装置４０２へ接続する点線４０４Ａ，４０４Ｈ，４０４Ｃ，４０４Ｇを示す。ユーザが次にターミナル３０２Ａを選択し、次いでターミナル４０２を選択すると、点線４０４Ｂ（４０４Ｈへ接続されている）が表示される。この論理的接続は、例えばエアーフローシステムの場合においてはダクト及び対応するフィッティングであるオブジェクト間の物理的接続を自動的に発生するために使用される。一つの実現例においては、二つのフローシステムを接続するために物理的接続が自動的に発生されるように、一つのフローシステムを別のフローシステムへ論理的に接続させることが可能である。
【００２４】
図５Ａは物理的モデルにおけるターミナルと装置との間の論理的接続に基づいて自動的に発生された物理的接続を示している。物理的接続５０２Ａ−Ｈは、夫々、論理的接続４０４Ａ−Ｈに対応している。エアーフローシステムの場合には、物理的接続は、ダクト（例えば、剛性及び柔軟性）及び該ダクトを互いに連結させるための関連したフィッティング、ターミナル３０２Ａ−Ｅ，及び装置４０２を包含している。フィッティングは、それらが接続されるオブジェクトを収容するために自動的に寸法が再設定される。水流れシステムにおいては、物理的接続はパイプ及び関連するフィッティングを包含している。
【００２５】
デフォルト設定は、どのようにして物理的接続が経路付けされるかを決定することが可能である。例えば、該設定は、天井に装着されているディフューザが天井上方に位置されている主要ダクト又はパイプからの位置であるデフォルト垂直距離を包含することが可能である。該デフォルト設定は、エアーフローシステムの場合には剛性又は柔軟性などのダクトのデフォルトタイプ、及び物理的接続部のデフォルト寸法を包含することが可能である。物理的モデルは、壁、支持体、及びその他の物理的接続に対して潜在的な障害物の位置などの、部屋が配置される建物の構造についての情報を包含することが可能である。該構造情報は、障害物を避けるために物理的接続を自動的に経路付けする場合に使用することが可能である。
【００２６】
ターミナル３０２Ａ−Ｅによって表される全体的なフローが自動的に計算される。その全体的なフローは、そのフローシステムに対して必要なフロー装置４０２の能力を決定するために使用することが可能である。例えば、供給ディフューザ３０２Ａ−Ｅによって表される全体的な供給エアーフローは２５００ＣＦＭである。ＨＶＡＣ又は空気取扱いユニット（ＡＨＵ）４０２は２５００ＣＦＭを供給することが可能であるように選択することが可能である。一つの実現例において、所要の装置能力は装置４０２を自動的に選択するために使用される。
【００２７】
物理的モデルにおいて表されている各フローシステムオブジェクト（例えば、ターミナル、物理的接続、装置）は、一つ又はそれ以上の物理的リンクを介して、一つ又はそれ以上の他のフローシステムオブジェクトへ連結される。例えば、ダクトはそのダクトの各端部において物理的リンクを具備している。ダクトの物理的リンクの内の一つはディフューザの物理的リンクへ接続させることが可能であり、従って両者の間で空気が流れることとなる。そのダクトの他方の物理的リンクは、Ｔ継手などのフィッティングの物理的リンクへ接続させることが可能である。該Ｔ継手の残りの二つの物理的リンクは、例えば、二つの付加的なダクトの物理的リンクと連結させるために使用することが可能である。
【００２８】
フローシステムの解析的モデルは、物理的モデルにおいて表されている各フローシステムオブジェクト間の物理的リンクに対応する論理的接続点を使用するフローシステムの物理的モデルを表す。代替的に、物理的リンクより多くの又はより少ない数の接続点とすることが可能である。一つの接続点はその対応する物理的リンクの特性（例えば、流量、流速、流れ摩擦、静圧、位置、幾何学的形状、及びその他の適宜の特性）を表す。該解析的モデルは、部屋ターミナルから装置へ逆に動作し、一つの接続点から別の接続点へ接続点特性を伝搬させて、例えば、全体的な静圧及び全体的なフローに基づいて、フローシステムの能力を満足させるために必要な装置のタイプ（例えば、ファンのタイプ、モータの寸法）を究極的に決定する。代替的に、該解析的モデルは、装置から部屋ターミナルへフローシステムを解析することが可能である。該解析的モデルは、オブジェクトの付加又は削除、又はオブジェクト特性に対する変更などの物理的モデルに対する変更を反映するために自動的にアップデート即ち更新される。
【００２９】
図５Ｂは、図５Ａのフローシステムの物理的モデルにおける物理的リンクと関連している解析的接続点を例示している。該接続点は該フローシステムを解析するために該解析的モデルによって使用される。例示として、接続点５０１Ａはターミナル３０２Ａの流量特性（即ち、５００ＣＦＭ）に等しい流量特性を有している。接続点５０１Ａの流量特性は、ダクト５０２Ａの接続点５０１Ｂへ伝搬され、次いで、ダクト５０２Ａの接続点５０１Ｃへ伝搬される。ターミナル３０２Ｂ及びダクト５０２Ｂに対する接続点もこの様な態様で決定される。Ｔコネクタ５０５に対して３個の接続点が存在している。接続点５０１Ｃの流量特性は、接続点５０１Ｄへ伝搬される。接続点５０１Ｆの流量特性（これも５００ＣＦＭ）が接続点５０１ＥＤへ伝搬される。Ｔコネクタ５０５に対する３番目の接続点５０１Ｉの流量特性は接続点５０１Ｄ及び５０１Ｅの流量特性の和を表している。従って、接続点５０１Ｉは１０００ＣＦＭに等しい流量特性を有している。同様に、１０００ＣＦＭの流量が接続点５０１Ｊ，５０１Ｏ，５０１Ｐへ伝搬する。
【００３０】
交差コネクタ５０７は、接続点５０１Ｐから１０００ＣＦＭのフロー即ち流れを受け取る。交差コネクタ５０７は、又、接続点５０１Ｋ，５０１Ｌ，５０１Ｍ，５０１Ｎを介してターミナル３０２Ｅから５００ＣＦＭのフローを受け取る。交差コネクタ５０７は接続点５０１Ｔ，５０１Ｓ，５０１Ｒ，５０１Ｑを介してターミナル３０２Ｃから５００ＣＦＭのフローを受け取る。従って、交差コネクタ５０７を介しての全体的な流量は２０００ＣＦＭである。この２０００ＣＦＭの流量は交差コネクタ５０７から接続点５０１Ｕ，５０１Ｖ，５０１Ｗ，５０１Ｘへ伝搬される。
【００３１】
Ｔコネクタ５０９は接続点５０１Ｘから２０００ＣＦＭのフローを受け取る。Ｔコネクタ５０９は接続点５０１ＡＢ，５０１ＡＡ，５０１Ｚ，５０１Ｙを介してターミナル３０２Ｄから別の５００ＣＦＭのフローを受け取る。従って、Ｔコネクタ５０９を介しての全体的な流量は２５００ＣＦＭである。この２５００ＣＦＭの流量はＴコネクタ５０９から接続点５０１ＡＣ，５０１ＡＤ，５０１ＡＥ，５０１ＡＦへ伝搬され、そこで、それは所要の装置４０２のタイプを決定するために使用することが可能である。
【００３２】
幾つかの実現例において、ユーザはビュー内の接続点を選択し且つそれらの特性を編集することによって解析的モデルにおける接続点の特性を修正することが可能である。例えば、そのプロセスは、物理的モデルにおけるオブジェクトの特性を編集するための上述した方法と同様のものとすることが可能である。解析的モデルに対してなされた変更はそれに対応する物理的モデルにおいて自動的に反映させることが可能であり、且つその逆もまた真である。例えば、接続点５０１Ｈの流量が解析的モデルにおいて増加されると、ダクト５０２Ｂ，Ｔコネクタ５０５、及びフロー装置４０２へ接続しているその他のダクト組織がその変更を受け付けるために自動的に再寸法設定させることが可能である。
【００３３】
図６はフローシステムの特性をビューし且つ操作するためのユーザインターフェース６００の１例を示している。インターフェース６００はビュー１０２に示したエアーフローシステム階層的表現６０２を包含している。表現６０２は、供給ディフューザ３０２Ａ−Ｅによって表される全体的な供給フロー６０４、装置４０２の供給フロー能力６０６、及びターミナル３０２Ａ−Ｅの夫々の個々の供給６０８Ａ−Ｅを包含している。全体的な供給フロー６０４は、例えば、そのフローシステムに対するフロー装置の適宜のものを選択するために使用することが可能である。例えば、フロー装置がフローシステムにおける供給ディフューザによって表される全体的な供給フローを満足するものであることを検証することが可能である。
【００３４】
図７はフローシステムの物理的モデルに９おける一つ又はそれ以上のオブジェクトの特性をビューし且つ操作するための特性ダイアログ７００の１例を示している。ここで、ユーザはダクト５０２を選択している。インターフェース７００は選択されたオブジェクト５０２の特性を提示する。該特性は、そのタイプのオブジェクトに共通のものとすることが可能なタイプ特性７０２及びそのオブジェクトの選択したインスタンスに対して特定的なものとすることが可能なインスタンス特性７０４を包含している。例えば、タイプ特性７０２は、「矩形状ダクト」のオブジェクトファミリ及び「ラジウスエルボウ（Ｒａｄｉｕｓ  Ｅｌｂｏｗｓ）／Ｔ」のタイプを包含することが可能である。インスタンス特性７０４は、例えば、該オブジェクトのエアーフロー能力、該オブジェクトの空気速度能力、該オブジェクトにおける摩擦、及び該オブジェクト内の圧力情報を包含することが可能である。例えば、ユーザは、Ｔ５０５のエアーフロー能力を修正することが可能である。オブジェクト特性は物理的モデル内に格納することが可能である。
【００３５】
図８はフローシステムにおけるリターンターミナル即ち帰還端子装置を例示している。ビュー８０２は物理的モデルの３Ｄ斜視図を与えている。リターン空気ディフューザ８０２Ａ−Ｂが物理的モデルに付加されている。更に、装置４０２はリターンエアーフローシステムと連結するための物理的リンク８０４を示している。ユーザはリターンディフューザ８０２Ａ−Ｂと装置４０２との間の論理的接続を特定することが可能であり、それから、供給エアーフローシステムに関して上述したのと同様の態様で、自動的に物理的接続を発生させることが可能である。例えば、ユーザはターミナル８０２Ａ−Ｂ及び装置４０２を選択し且つそれらをリターンエアーフローシステムとして論理的に関連付けることが可能である。ターミナル８０２Ａ−Ｂと装置４０２との間の所要の物理的接続が自動的に発生される。
【００３６】
図９は、リターンディフューザを含むフローシステムの特性をビューし且つ操作するためのシステムブラウザ６００の更なる例を示している。システムブラウザ６００はリターンエアーフローシステムの階層的表現９０２を包含している。表現９０２は、リターンディフューザ８０２Ａ−Ｂ、装置４０２のリターンエアー能力９０６、及びリターンディフューザ８０２Ａ−Ｂのリターン能力９０８Ａ−Ｂによって表される全体的なリターンエアー９０４を包含している。
【００３７】
図１０はフローシステムの物理的モデルにおける一つ又はそれ以上の物理的接続を自動的に寸法決定するための特性ダイアログ１０００の１例を示している。物理的接続は、例えば、速度、摩擦、及び／又は寸法決定拘束条件に基づいて寸法決定させることが可能である。例示として、ユーザがその他のダクトよりも一つのダクトにおける速度を一層早いものとさせる場合には、そのより早い速度のダクトは自動的に寸法が再設定されて一層小さくなる。複数の物理的接続又は全体的なフローシステムを一度に寸法決定することが可能である。更に、例えば、或る建物の拘束条件が物理的接続の寸法又は配置を制限する場合には、どの程度物理的接続が大きくなることが可能であるかを制限するために寸法拘束条件を使用することが可能である。物理的接続に対する流速又は摩擦を変化させながら、物理的接続の寸法を固定に維持することが可能である。このことは装置を決定された流速を発生することが可能な装置の特定のものへ自動的に変更させることが可能である。ダクト及びパイプ配管を寸法決定することに加えて、ダクトとパイプ配管とを接続するフィッティングをダクト又はパイプ配管寸法における変更を受け付けるために自動的に寸法決定させることが可能である。
【００３８】
寸法決定特性ダイアログ１０００は寸法決定方法オプション１００２及び寸法決定拘束条件１００４を包含している。寸法決定方法１００２は、ユーザが解析的モデルに基づいてフローシステムに対する物理的モデルにおけるオブジェクトを自動的に寸法決定するために使用されるメソッド即ち方法を定義することを可能とさせる入力制御を包含することが可能である。
【００３９】
例えば、ユーザは速度選択制御１００６及び速度入力制御１００８を使用して、毎分当たり１５００フィート（ＦＰＭ）等の該システムにおけるフローの特定の速度を特定することが可能である。ユーザは、又、摩擦量を特定することが可能であり且つ摩擦が入力制御１０１０を使用して、オブジェクトの寸法決定を計算する場合に使用されるかを特定することが可能である。ブール選択制御１０１２は、例えば、速度のみ、摩擦のみ、速度及び摩擦、又は速度又は摩擦に基づく寸法決定の選択を可能とさせる。更に、ユーザは、夫々、入力制御１０１４及び１０１６を使用して、オブジェクトの最大高さ又は幅などの拘束条件１００４を入力することが可能である。ユーザは、夫々、選択制御１０１８及び１０２０を使用して高さ及び幅制限を活性化させることが可能である。
【００４０】
３Ｄビュー８０２は、フローシステムを自動的に寸法決定した結果を示している。例えば、ダクトオブジェクトの第１選択１０２２は全体的な流量及び選択した速度から得られる第１寸法を有している。ダクトオブジェクトの第２選択１０２４は第２寸法を有しており、且つダクトオブジェクトの第３選択１０２６は第３寸法を有しており、両方ともそれらの流量と選択した速度とから得られたものである。この例においては、速度入力制御１００８を使用して特定されたフローシステムを介しての速度を維持するために寸法が選択されている。
【００４１】
図１１は３Ｄビュー８０２における部屋１０４Ａ−Ｃの壁と共に自動的に発生された物理的接続を示している。ここで、ユーザは、例えば、天井内のダクト配管トランクからの供給ディフューザ３０２Ａ−Ｅのデフォルト垂直距離が供給ディフューザ３０２Ａ−Ｅを部屋１０４Ａ−Ｃの床に近すぎて配置させるものであることを決定することが可能である。幾つかの実現例においては、床、壁、及び天井は固体面として表すことが可能である。支持柱、梁、付加的な床などの周囲の構造物のより多くの要素を示すことが可能である。該３Ｄビュー８０２又は別のビューは、フローシステムの要素を受け付けるために周囲の構造物におけるオブジェクトをユーザが修正することを可能とする場合がある。例えば、ダクト５０２Ｇが建物内に入り込むことを可能とさせるために外壁を貫通して孔を形成することが可能である。
【００４２】
図１２は、一つ又はそれ以上の物理的接続の特性をビューし、操作し、且つ定義付けするための変換設定ダイアログ１２００の１例を示している。ここで、ユーザは、例えば、水平又は床からのダクト（例えば、５０２）のデフォルト距離１２０２又はオフセットを定義することが可能である。該デフォルトはオブジェクトを自動的に発生するために使用することが可能である。例えば、ダイアログ１２００に示されている２フィートのオフセット１２０２は、その部屋の床から２‘０“即ち２フィートに該ダクトを配置させる。オフセット１２０２は、該ダクトを上昇させ、図１３に示したように天井により近くに配置させるために、一層大きな値に変更させることが可能である。
【００４３】
図１４は、柔軟性の或る物理的接続を付加し且つ修正する１例を示している。ここで、ユーザは、ディフューザ３０２Ａとダクト配管のトランク即ち主要部との間の物理的接続を柔軟性のある物理的コネクタ１４０２で置換させている。柔軟性のある物理的コネクタ１４０２は、その他のダクト配管の経路付けを変更させること無しに、部屋１０４Ａ内においてディフューザ３０２Ａを自由にユーザが位置決めさせることを可能とさせる。幾つかの実現例においては、インターフェース１０４Ａは、柔軟性のある物理的コネクタの一端に接続されているフローターミナルと該柔軟性の或る物理的コネクタの他方の端部に接続されているオブジェクトとの間の距離を制限するために柔軟性のある物理的コネクタの最大長さを使用することが可能である。
【００４４】
図１５は、フローシステムのサブシステムを付加し且つ修正する１例を示している。フローシステムは、一つ又はそれ以上の物理的モデルフローサブシステムを組み込むことが可能である。ここで、フローシステム１５０１Ｃのビュー１０２は２つのサブシステム１５０１Ａ−Ｂを包含している。サブシステム１５０１Ａ−Ｂの各々は装置のファン駆動型可変空気体積（ＶＡＶ）部品を具備している（即ち、ファン１５０２Ａ−Ｂ）。ファン１５０２Ａ−Ｂはフローシステム１５０１Ｃとサブシステム１５０１Ａ−Ｂとの間の境界を形成している。幾つかの実現例においては、サブシステム間の境界は、任意に定義することが可能である。ファン１５０２Ａ−Ｂ上のインレットはＡＨＵ４０２の供給部へ接続されている。ファン１５０２Ａの供給部は供給ディフューザ３０２Ａ−Ｂへ接続されており、且つファン１５０２Ｂの供給部は供給ディフューザ３０２Ｃ−Ｅへ接続されている。ファン１５０２Ａ及び供給ディフューザ３０２Ａ−Ｂはフローシステムのサブシステム１５０１Ａを形成している。ファン１５０２Ｂ及び供給ディフューザ３０２Ｃ−Ｅはフローシステムのサブシステム１５０１Ｂを形成している。同様に、流体フローシステム及び電気的システムがサブシステムを有することが可能である。
【００４５】
そのサブシステムを包含して、フローシステムは、例えば、上述した如く、時間に関してのフロー即ち流れの量及びフローシステム内の静圧を決定するために解析することが可能である。例えば、オブジェクトの寸法、該オブジェクトを介してのフローの体積、及び該フローの速度は該オブジェクト内の静圧を決定するために使用することが可能である。オブジェクトに対する変更は、解析を再度実施し、且つフロー又は静圧の再計算を実施することとなる場合がある。例えば、解析的モデルは、各サブシステムを表すことが可能であり且つサブシステムの特性を該サブシステムの接続点とインターフェースする別のシステムへ伝搬させることが可能である。ここで、ファン１５０２Ａ−Ｂ上の接続点は、サブシステム１５０１Ａ−Ｂの特性を、夫々、フローシステム１５０１Ｃへそして究極的にはフロー装置４０２へ伝搬させる。
【００４６】
幾つかの実現例においては、全体的なフローシステムの解析は各サブシステムで開始する。該サブシステムは逐次的に又は同時的に解析することが可能である。サブシステムから得られる解析はそのサブシステムとインターフェースするシステムへ伝搬させることが可能である。次いで、その解析は、そのサブシステムが解析されている場合には、そのインターフェースされているシステムで進行することが可能である。
【００４７】
図１６は、サブシステムを包含しているフローシステムの特性をビューし且つ操作するためのシステムブラウザ６００の別の例を示している。ここで、インターフェース６００は、夫々、ファン１５０２Ａ−Ｂの供給フロー１６０２Ａ−Ｂなどのサブシステム情報を包含している。全体的な供給フローは、ファン１５０２Ａ−Ｂによって供給される供給フローの付加を反映させるために、アップデート即ち更新させることが可能である。
【００４８】
図１７は、自動的に発生された物理的接続の経路付けの１例を示している。ダクト配管オブジェクト１７０２Ａ−Ｂなどのオブジェクト間の物理的接続を自動的に発生する場合に、該オブジェクト間の物理的接続の経路付けを決定するためにヒューリスティク又は規則を使用することが可能である。ここで、オブジェクト１７０２Ａ−Ｂ間の物理的接続１７０４Ａ−Ｆを経路付けさせるために、直角ヒューリスティックが使用される。その他の実現例においては、オブジェクト１７０２Ａ−Ｂと物理的接続１７０４Ａ−Ｆとの間の一つ又はそれ以上の連結において異なる選択を行うことが可能である。例えば、物理的接続１７０２Ａは、オブジェクト１７０２Ｂへ向かって下方へターン即ち転向するする代りにオブジェクト１７０２Ｂへ向かって横方向に転向することが可能であり、その場合に他の物理的接続１７０４Ｂ−Ｆもそれに従って調節される。物理的接続の位置が変更される場合には、物理的接続を自動的に再経路付けさせることが可能である。更に、ユーザが物理的接続を形成し、修正し（例えば、位置又は他の特性を変更）又は削除する場合には、これらの変更は解析的モデルにおいて自動的に反映される。
【００４９】
図１８は、自動的に発生された物理的接続の別の例を示している。ここで、直線ヒューリスティックが、オブジェクト１７０２Ａ−Ｂ間の物理的接続１７０４Ａ−Ｆを経路付けするために、使用されている。オブジェクト１７０２Ａ−Ｂ間の直線において物理的接続１８０２Ａ−Ｅを経路付けさせるための試みを行うことが可能である。物理的接続１８０２Ａ−Ｅは、例えば、柔軟性のあるジョイント１８０２Ａ，１８０２Ｃ，１８０２Ｅによって許容される最大又は最小角度によって制限させることが可能である。幾つかの実現例においては、壁及び支持体などのＣＡＤモデル内の構造的要素を、構造的要素との衝突を回避するために物理的接続の経路付けを案内するために、使用することが可能である。幾つかの実現例において、物理的接続を自動的に経路付けさせる場合に、ヒューリスティックと構造的情報との組み合わせが使用される。
【００５０】
図１９は、フローシステムをビューし且つ操作するためのＣＡＤツール１９００のシステム概略図である。ＣＡＤツール１９００は、ユーザインターフェース１９０４、且つ、オプションとして、外部解析アプリケーション１９０６を包含している。ＣＡＤツール１９００は、物理的モデル１９０８及び該物理的モデル１９０８と関連されている解析的モデル１９１０を供給する。ＣＡＤツール１９００は、ユーザインターフェース１９０４を介して、ユーザに対して、物理的モデル１９０８及び解析的モデル１９１０を供給する。
【００５１】
物理的モデル１９０８及び解析的モデル１９１０は、ＣＡＤツール１９００内にインポートさせることが可能であり、ＣＡＤツール１９００を使用して手動的に作成することが可能であり、又はこれらの組み合わせによることが可能である。物理的モデル１９０８は一つ又はそれ以上のオブジェクト１９１２を包含している。例えば、オブジェクト１９１２は、フロー装置、フローターミナル、及び物理的接続を包含することが可能である。フロー装置は、ＨＶＡＣユニット、排気ファン、又はポンプなどの、フローの供給又はリターンを供給することが可能である。フローターミナルは、ディフューザ、リターンディフューザ、又は排気ターミナルなどの、要素を包含することが可能である。物理的接続は、ダクト、パイプ、又はフィッティングなどの、要素を包含することが可能である。解析的モデル１９１０は、接続点１９１４を包含している。各オブジェクトは、接続点１９１４の一つ又はそれ以上と関連していることが可能である。
【００５２】
ＣＡＤツール１９００は、物理的モデル１９０８に対してなされた変更に基づいて解析的モデル１９１０を発生し且つアップデートすることが可能であり且つその逆もまた真である変更コンポーネント１９１６を包含している。例えば、ユーザは特性ダイアログを使用して接続点の解析的特性を修正することが可能である。その修正した特性の一つ又はそれ以上は、一つ又はそれ以上の物理的モデルオブジェクトの一つ又はそれ以上の特性に影響を与えることが可能である。変更コンポーネント１９１６は、解析的モデルに対してなされた変更に基づいて、一つ又はそれ以上の物理的オブジェクトをアップデートさせる。ＣＡＤツール１９００は、又、フローターミナルとフロー装置との間の物理的接続を自動的に経路付けすることが可能である。例えば、物理的接続発生器１９１８は、フロー要素間においてダクト配管及びパイプ配管などの物理的接続を発生し且つ経路付けすることが可能である。ＣＡＤツール１９００は、例えば、フローシステムに対するフロー又は静圧を決定するために、物理的モデル１９０８と解析的モデル１９１０とによって表されるフローシステムを解析することが可能なフローシステム解析器１９２０を包含している。
【００５３】
幾つかの実現例においては、物理的モデル１９０８及び／又は解析的モデル１９１０は、部屋に対するフロー条件を決定するために、外部解析アプリケーション１９０６へエクスポートさせることが可能である。その部屋に対するフロー条件は、物理的モデル１９０８内にインポートさせ且つ物理的モデル１９０８内のオブジェクトの寸法決定するために使用することが可能である。
【００５４】
図２０及び２１は、夫々、例示的技術２０００及び２１００のフローチャートである。該技術２０００及び２１００は、例えば、ＣＡＤツール１９００などのシステムによって実施することが可能であり、且つ、説明の便宜上、以下の説明は、プロセス２０００及び２１００を説明する例の基礎として、ＣＡＤツール１９００を使用する。然しながら、別のシステム又はシステムの結合をプロセス２０００及び２１００を実施するために使用することが可能である。
【００５５】
図２０を参照すると、技術２０００は、フローシステムの解析的表現を発生し且つ自動的にアップデートする１例である。２００２において、フローシステムの物理的モデルが与えられる。該物理的モデルは該フローシステムにおける物理的オブジェクトを包含している。該物理的オブジェクトの各々は、物理的リンク点における別の物理的オブジェクトに対するものとすることが可能である。該フローシステムの解析的モデルが、物理的リンクに対応することが可能な接続点に沿って、２００４において発生される。例えば、ＣＡＤツール１９００は物理的モデル１９０８と関連している解析的モデル１９１０を発生することが可能である。２００６において、物理的モデル又は解析的モデルの内の一方は他方における変更を反映するために自動的にアップデートされる。例えば、ユーザは、ダクトの特性又は該ダクトの位置を修正することが可能であり、且つこの様な変更は解析的モデル１９１０において自動的に反映される。
【００５６】
図２１を参照すると、プロセス２１００はフローシステムにおける物理的接続を自動的に経路付けし且つ該フローシステムを解析するプロセスの１例である。２１０２において、フローシステムの物理的モデルが供給される。該物理的モデルは一つ又はそれ以上のフローターミナルを組み込んでいる。該一つ又はそれ以上のフローターミナルの各々は一つの部屋と関連している。一つ又はそれ以上の物理的ターミナルが該フローシステムターミナル間で、２１０４において、自動的に経路付けされる。例えば、ＣＡＤツール１９００は、装置からフローターミナルへの経路付けを決定するために論理的接続を使用することが可能である。幾つかの実現例においては、該経路付けは構造的要素との衝突を回避するために物理的モデル１９０８における構造的情報に基づいている。
【００５７】
２１０６において、該フローシステムは該物理的接続及び各部屋の特性に基づいて解析される。例えば、ＣＡＤツール１９００は該フローシステムに対するフロー（流れ）及び静圧を決定するために一つの部屋の供給フロー、リターンフロー、排気フローを解析することが可能である。ＣＡＤツール１９００は、該フローシステムにおける物理的接続の寸法を自動的に決定するために該フロー及び静圧を使用することが可能である（ステップ２１０８）。
【００５８】
本明細書に記載されている本発明の実施例及び機能的動作の全ては、デジタル電子回路において、又はコンピュータソフトウエア、ファームウエア、又はハードウエアであって本明細書において開示した構成を及びそれらの構成的均等物を包含するものにおいて、又はそれらの一つ又はそれ以上の結合において、実現することが可能である。
【００５９】
本発明の実施例は、一つ又はそれ以上のコンピュータプログラムプロダクトとして、即ちデータ処理装置によって又はその動作を制御するために実行するためにコンピュータによって読み取り可能な媒体上にエンコードされているコンピュータプログラム命令の一つ又はそれ以上のモジュールとして、実現することが可能である。該コンピュータ読み取り可能な媒体は、機械読み取り可能な格納装置、機械読み取り可能な格納基板、メモリ装置、機械読み取り可能な伝搬信号を奏する物質の組成、又はそれらの一つ又はそれ以上の結合とすることが可能である。「データ処理装置」という用語は、プログラム可能なプロセッサ、コンピュータ、又はマルチプロセッサ又はコンピュータを例として包含する、データを処理するための全ての装置、デバイス、及びマシンを包含している。該装置は、ハードウエアに加えて、問題のコンピュータプログラムに対する実行環境を形成するコード、例えば、プロセッサファームウエア、プロトコルスタック、データベース管理システム、オペレーティングシステム、又はそれらの一つ又はそれ以上の結合を構成するコードを包含することが可能である。伝搬信号は、人工的に発生させた信号であって、例えば、適宜の受信機装置へ送信するために情報をエンコードするために発生されるマシン（機械）により発生される電気的、光学的、又は電磁的信号である。
【００６０】
コンピュータプログラム（プログラム、ソフトウエア、ソフトウエアアプリケーション、スクリプト、又はコードとしても知られている）は、コンパイル型又はインタプリタ型の言語を含む、任意の形態のプログラミング言語で書くことが可能であり、且つそれはスタンドアローンとして、又はコンピューティング環境において使用するのに適したモジュール、コンポーネント、サブルーチン、又はその他のユニットとして包含される任意の形態でデプロイさせることが可能である。コンピュータプログラムは必ずしもファイルシステムにおける一つのファイルに対応するものではない。一つのプログラムは、その問題のプログラム専用の単一のファイルにおいて又は複数のコオーディネイトされたファイル（例えば、一つ又はそれ以上のモジュール、サブプログラム、又はコードの一部を格納するファイル）において、その他のプログラム又はデータ（例えば、マークアップ言語文書内に格納されている一つ又はそれ以上のスクリプト）を保持する一つのファイルの一部内に格納することが可能である。コンピュータプログラムは、一つのコンピュータ上で、又は一箇所に位置されているか又は複数箇所にわたり分散されており且つ通信ネットワークによって相互接続されている複数のコンピュータ上で、実行されるべくデプロイさせることが可能である。
【００６１】
本明細書に記載されている本プロセス及び論理の流れは、入力データに関して動作し且つ出力を発生することによって機能を実施するために一つ又はそれ以上のコンピュータプログラムを実行する一つ又はそれ以上のプログラム可能なプロセッサによって実施させることが可能である。該プロセス及び論理の流れは、又、特別目的論理回路、例えばＦＰＧＡ（フィールドプログラマブルゲートアレイ）又はＡＳＩＣ（応用特定集積回路）、によって実施させることが可能であり、且つ装置をそのようなものとして実現することも可能である。
【００６２】
コンピュータプログラムの実行のために適したプロセスは、例として、汎用及び特別目的マイクロプロセッサの両方、及び任意の種類のデジタルコンピュータからなる任意の一つ又はそれ以上のプロセッサを包含している。一般的には、プロセッサはリードオンリメモリ又はランダムアアクセスメモリ又はその両方から命令とデータとを受け取る。コンピュータの基本的な要素は、命令を実施するためのプロセッサ及び命令及びデータを格納するための一つ又はそれ以上のメモリ装置である。一般的には、コンピュータは、又、例えば磁気的、磁気光学的ディスク、又は光学的ディスクなどのデータを格納するための一つ又はそれ以上の大量格納装置を包含しているか、又はそれからデータを受け取り又はそれに対してデータを転送するために動作結合されている。しかしながら、コンピュータはこの様なデバイスを有することが必要なものではない。更に、コンピュータは、例えば、二三の例を挙げると、携帯電話、パーソナルデジタルアシスタント（ＰＤＡ），モバイルオーディオプレイヤー、全地球測位システム（ＧＰＳ）受信機、などの別のデバイスに埋め込ませることが可能である。コンピュータプログラム命令及びデータを格納するのに適したコンピュータ読み取り可能媒体は、全ての形態の非揮発性メモリ、媒体及びメモリ装置を包含しており、例として、例えばＥＰＲＯＭ、ＥＥＰＲＯＭ及びフラッシュメモリ装置などの半導体メモリ装置、例えば内部ハードディスクまたは着脱自在なディスク、磁気光学的ディスク、およびＣＤ−ＲＯＭ及びＤＶＤ−ＲＯＭディスクなどの磁気的ディスクを包含している。該プロセッサ及びメモリは特別目的論理回路によって補充されるか又はその中に組み込ませることが可能である。
【００６３】
ユーザとのインタラクション即ち相互作用を与えるために、本発明の実施例は、ユーザに対して情報を表示させるための、例えば、ＣＲＴ（陰極線管）又はＬＣＤ（液晶ディスプレイ）モニタなどのディスプレイ装置、及びユーザがコンピュータへの入力を与えることを可能とするキーボード及び、例えば、マウス又はトラックボールなどの、ポインティング装置を具備するコンピュータ上で実現することが可能である。ユーザとのインタラクションを与えるためにその他の種類のデバイスを使用することも可能であり、例えば、ユーザへ与えるフィードバックは任意の形態の知覚的フィードバックとすることが可能であり、例えば、視覚的フィードバック、聴覚的フィードバック、又は触覚的フィードバックとすることが可能であり、且つユーザからの入力は任意の形態で受け取られることが可能であり、聴覚的、会話的、又は触覚的入力を包含している。
【００６４】
本発明の実施例は、例えばデータサーバとしてのバックエンドコンポーネントを包含するか、又は例えばアプリケーションサーバとしてのミドルウエアコンポーネントを包含するか、又は例えばそれを介してユーザが本発明の実現と相互作用することが可能なグラフィカルユーザインターフェース又はウェブブラウザを具備するクライエントコンピュータとしてのフロントエンドコンポーネントを包含するコンピューティングシステム、又は一つ又はそれ以上のこの様なバックエンド、ミドルウエア、又はフロントエンドコンポーネントの任意の結合、においに実現することが可能である。該システムのコンポーネントは、任意の形態又は媒体のデジタルデータ通信、例えば、通信ネットワークによって相互接続させることが可能である。通信ネットワークの例は、ローカルエリアネットワーク（ＬＡＮ）及び例えばインターネットなどのワイドエリアネットワーク（ＷＡＮ）を包含している。
【００６５】
該コンピューティングシステムはクライエント及びサーバを包含することが可能である。クライエント及びサーバは、通常、互いに離隔しており且つ典型的に通信ネットワークを介して相互作用を行う。クライエントとサーバとの関係は、夫々のコンピュータ上で稼動し且つ互いにクライエント−サーバ関係を具備しているコンピュータプログラムによって生じる。
【００６６】
本明細書は多数の特定的詳細を包含するものであるが、これらは本発明の範囲即ち特許請求の範囲の記載に関する制限として解釈されるべきものではなく、本発明の特定の実施例に特定的な特徴の説明として解釈されるべきである。別の実施例の文脈において本明細書において記載されている或る特徴は、又、単一の実施例に結合して実現させることも可能である。逆に、単一の実施例の文脈において記載されている種々の特徴は、又、別々に又は任意の適宜の副結合の形態において複数の実施例において実現させることも可能である。更に、特徴は或る実施例において動作するものとして記載されており且つ当初そのようなものとして特許請求の範囲に記載されている場合があるが、特許請求の範囲に記載されている結合からの一つ又はそれ以上の特徴は、或る場合においては、そのような結合から削除することが可能であり、且つ特許請求の範囲に記載されている結合は副結合又は副結合の変形例へ指向させることが可能なものである。
【００６７】
同様に、動作は特定の順番で図面中に図示されているが、これは、この様な動作が図示されている特定の順番で、又は逐次的な順番で、実施されることを必要とするものとして理解されるべきものではなく、又は全ての例示されている動作が所望の結果を達成するために実施されることを必要とするものとして理解されるべきものではない。或る環境においては、マルチタスク及び並列処理が有益的である場合がある。更に、上述した実施例における種々のシステムコンポーネントの分離は全ての実施例においてこの様な分離を必要とするものとして理解されるべきものではなく、記載されているプログラムコンポーネント及びシステムは、通常、単一のソフトウエアプロダクト内に一緒に一体化させるか又は複数のソフトウエアプロダクトにパッケージ化させることが可能であることを理解すべきである。
【００６８】
従って、本発明の特定の実施例について説明した。その他の実施例は特許請求の範囲内のものである。例えば、特許請求の範囲に記載されている動作は異なる順番で実施することが可能であり、尚且つ所望の結果を達成することが可能なものである。
【図面の簡単な説明】
【００６９】
【図１Ａ】フローシステムの物理的及び解析的ＣＡＤモデルを作成する技術を例示したフローチャート。
【図１Ｂ】一つ又はそれ以上のコンピュータ支援設計モデルをビューし且つ操作するためのグラフィカルユーザインターフェースの例を示した概略図。
【図２】物理的モデルにおけるオブジェクトの特性を定義し且つ修正するための要素特性ダイアログを示した概略図。
【図３】部屋へのフローターミナルの付加を示した概略図。
【図４】物理的モデルへのフロー装置の付加及びフローシステムの指定を示した概略図。
【図５Ａ】物理的モデルにおけるターミナルと装置との間の論理的接続に基づいて自動的に発生される物理的接続を示した概略図。
【図５Ｂ】図５Ａのフローシステムの物理的モデルにおける物理的リンクと関連する解析的接続点を示した概略図。
【図６】フローシステムの特性をビューし且つ操作するためのユーザインターフェースの例を示した概略図。
【図７】フローシステムの物理的モデルにおける一つ又はそれ以上のオブジェクトの特性をビューし且つ操作するための例示的特性ダイアログを示した概略図。
【図８】フローシステムにおけるリターンターミナルを例示した概略図。
【図９】リターンディフューザを包含するフローシステムの特性をビューし且つ操作するためのシステムブラウザの更なる例を示した概略図。
【図１０】フローシステムの物理的モデルにおける一つ又はそれ以上の物理的接続を自動的に寸法決定するための特性ダイアログの例を示した概略図。
【図１１】３Ｄビューにおいての部屋の壁と共に自動的に発生された物理的接続を示した概略図。
【図１２】一つ又はそれ以上の物理的接続の特性をビューし、操作し且つ定義するための変換設定ダイアログの例を示した概略図。
【図１３】新たな変換設定を反映するフローシステムの物理的モデルを示した概略図。
【図１４】柔軟性のある物理的接続を付加し且つ修正する例を示した概略図。
【図１５】フローシステムのサブシステムを付加し且つ修正する例を示した概略図。
【図１６】サブシステムを包含するフローシステムの特性をビューし且つ操作するためのシステムブラウザの別の例を示した概略図。
【図１７】自動的に発生された物理的接続の経路付けの例を示した概略図。
【図１８】自動的に発生された物理的接続の経路付けの別の例を示した概略図。
【図１９】フローシステムのモデルをビューし且つ操作するためのシステムの例を示したシステム模式図。
【図２０】フローシステムの解析的表現を発生し且つ自動的にアップデートさせるプロセスの例のフローチャート。
【図２１】フローシステムにおける物理的接続を自動的に経路付けし且つ該フローシステムを解析するプロセスの例のフローチャート。
【符号の説明】
【００７０】
１００：グラフィカルユーザインターフェース（ＧＵＩ）
１０２：ビュー
１０４：部屋
２００：ダイアログ
２０２：ファミリ制御
２０４：特性
３０２，８０２：ターミナル
４０２：フロー装置
４０４：論理的接続
５０１：接続点
５０２：物理的接続
５０７：交差コネクタ
５０９：Ｔコネクタ
６００：ユーザインターフェース
７００，１０００：特性ダイアログ
８０２：リターンディフューザ
【図１Ａ】
2009530720.tif 000003
【図１Ｂ】
2009530720.tif 000004
【図２】
2009530720.tif 000005
【図３】
2009530720.tif 000006
【図４】
2009530720.tif 000007
【図５Ａ】
2009530720.tif 000008
【図５Ｂ】
2009530720.tif 000009
【図６】
2009530720.tif 000010
【図７】
2009530720.tif 000011
【図８】
2009530720.tif 000012
【図９】
2009530720.tif 000013
【図１０】
2009530720.tif 000014
【図１１】
2009530720.tif 000015
【図１２】
2009530720.tif 000016
【図１３】
2009530720.tif 000017
【図１４】
2009530720.tif 000018
【図１５】
2009530720.tif 000019
【図１６】
2009530720.tif 000020
【図１７】
2009530720.tif 000021
【図１８】
2009530720.tif 000022
【図１９】
2009530720.tif 000023
【図２０】
2009530720.tif 000024
【図２１】
2009530720.tif 000025
【国際調査報告】
2009530720.tif 000026
2009530720.tif 000027
2009530720.tif 000028
2009530720.tif 000029
2009530720.tif 000030